【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
防災情報の検出に基づき開閉体を閉鎖させる開閉体の制御システムにおいて、
前記防災情報の検出に基づき前記開閉体を閉鎖させ、該開閉体の閉鎖動作中に開閉体が障害物を感知したときには、補助電源にて前記開閉体の移動を少なくとも停止させる制御手段を備えたことを特徴とする開閉体の制御システム。
【請求項２】
予め定められた所定の事象の発生に基づき再度前記開閉体を閉鎖させる請求項１記載の開閉体の制御システム。
【請求項３】
予め定められた所定の事象の発生に基づき再度前記開閉体を閉鎖させる制御は、前記補助電源からの供給による請求項２記載の開閉体の制御システム。
【請求項４】
防災情報の検出に基づき開閉体を閉鎖させる開閉体の制御システムにおいて、
前記防災情報の検出に基づき前記開閉体を閉鎖させ、該開閉体の閉鎖動作中に開閉体が障害物を感知したときには、前記開閉体の移動を少なくとも停止させる制御手段を備え、
前記制御手段は、開閉体が障害物を感知したときに開閉体の移動を制御する障害物感知用制御手段を有し、前記障害物感知用制御手段は、前記防災情報の検出に基づき、補助電源によりその作動用電源が供給されることを特徴とする開閉体の制御システム。
【請求項５】
防災情報の検出に基づき開閉体を閉鎖させる開閉体の制御システムにおいて、
前記防災情報の検出に基づき前記開閉体を閉鎖させ、該開閉体の閉鎖動作中に開閉体が障害物を感知したときには、前記開閉体の移動を少なくとも停止させる制御手段を備え、
前記制御手段は、開閉体が障害物を感知したときに開閉体の移動を制御する障害物感知用制御手段を有し、外部電源が供給状態の時には外部電源で障害物感知用制御手段を作動し、外部電源が非供給状態の時には補助電源で障害物感知用制御手段を作動することを特徴とする開閉体の制御システム。
【請求項６】
前記外部電源が供給状態の時に、前記開閉体の閉鎖動作中に開閉体が障害物を感知した時には、前記外部電源にて前記開閉体の移動を一時停止させた後反転上昇制御させる請求項５記載の開閉体の制御システム。
【請求項７】
前記制御手段は、前記防災情報未検出時の通常モードと前記防災情報入力時の火災モードとを切り換える切替手段を有し、通常モードでは外部電源の供給により前記開閉体の開閉制御を行わせるようにしたことを特徴とする請求項１又は２記載の開閉体の制御システム。
【請求項８】
前記外部電源供給の有無及び前記防災情報の検出に基づく防災信号受信の有無により前記開閉体を電源監視して開閉制御する電源監視手段を有し、前記電源監視手段の開閉体閉鎖制御動作時での障害物感知制御は外部電源が供給されている状態で実行され、外部電源の供給遮断時に前記補助電源からの電源供給を受けて前記電源監視手段の開閉体閉鎖制御を継続動作させるようにした請求項５記載の開閉体の制御システム。
【請求項９】
前記外部電源が供給されていない状態で、前記防災情報の検出による防災信号を受信すると、前記開閉体の自動閉鎖装置が作動して、開閉体が自重で降下するようにした請求項５記載の開閉体の制御システム。
【請求項１０】
前記防災情報の検出は、電気的信号により行われる請求項１乃至９のいずれか１項記載の開閉体の制御システム。
【請求項１１】
前記防災情報の検出は、機械的な構成により行われる請求項１乃至９のいずれか１項記載の開閉体の制御システム。
【手続補正２】
【補正対象書類名】明細書
【補正対象項目名】０００６
【補正方法】変更
【補正の内容】
【０００６】
【課題を解決するための手段】
上記目的を達成するため、本発明の開閉体の制御システムは、請求項１記載のように、防災情報の検出に基づき開閉体を閉鎖させる開閉体の制御システムにおいて、
前記防災情報の検出に基づき前記開閉体を閉鎖させ、該開閉体の閉鎖動作中に開閉体が障害物を感知したときには、補助電源にて前記開閉体の移動を少なくとも停止させる制御手段を備えたことを特徴とする。
【手続補正３】
【補正対象書類名】明細書
【補正対象項目名】０００７
【補正方法】変更
【補正の内容】
【０００７】
また、請求項２記載のように、予め定められた所定の事象の発生に基づき再度前記開閉体を閉鎖させるようにしても良い。また、予め定められた所定の事象の発生に基づき再度前記開閉体を閉鎖させる制御は、前記補助電源からの供給による制御としてもよい。
【手続補正４】
【補正対象書類名】明細書
【補正対象項目名】０００８
【補正方法】変更
【補正の内容】
【０００８】
また、本願では、防災情報の検出に基づき開閉体を閉鎖させる開閉体の制御システムにおいて、前記防災情報の検出に基づき前記開閉体を閉鎖させ、該開閉体の閉鎖動作中に開閉体が障害物を感知したときには、前記開閉体の移動を少なくとも停止させる制御手段を備え、前記制御手段は、開閉体が障害物を感知したときに開閉体の移動を制御する障害物感知用制御手段を有し、前記障害物感知用制御手段は、前記防災情報の検出に基づき、補助電源によりその作動用電源が供給されることを特徴とする。
また、外部電源が供給状態の時には外部電源で障害物感知用制御手段を作動し、外部電源が非供給状態の時には前記補助電源で障害物感知用制御手段を作動させるようにしても良い。前記外部電源が供給状態の時に、前記開閉体の閉鎖動作中に開閉体が障害物を感知した時には、前記外部電源にて前記開閉体の移動を一時停止させた後反転上昇制御させるようにしても良い。
【手続補正５】
【補正対象書類名】明細書
【補正対象項目名】０００９
【補正方法】変更
【補正の内容】
【０００９】
前記制御手段は、前記防災情報未検出時の通常モードと前記防災情報入力時の火災モードとを切り換える切替手段を有し、通常モードでは外部電源の供給により前記開閉体の開閉制御を行わせるようにしたことを特徴としている。
また、前記外部電源供給の有無及び前記防災情報の検出に基づく防災信号受信の有無により前記開閉体を電源監視して開閉制御する電源監視手段を有し、前記電源監視手段の開閉体閉鎖制御動作時での障害物感知制御は外部電源が供給されている状態で実行され、外部電源の供給遮断時に前記補助電源からの電源供給を受けて前記電源監視手段の開閉体閉鎖制御を継続動作させるようにしてもよい。
さらに、前記外部電源が供給されていない状態で、前記防災情報の検出による防災信号を受信すると、前記開閉体の自動閉鎖装置が作動して、開閉体が自重で降下するようにしてもよい。
【手続補正６】
【補正対象書類名】明細書
【補正対象項目名】００１０
【補正方法】変更
【補正の内容】
【００１０】
上記の構成において、防災情報は、火災時などに検出される。開閉体の開閉中に障害物を感知すると感知信号に基づき、開閉機に対する電源供給を制御して、開閉体を停止あるいは反転開放させる。防災情報により制御手段は、外部電源の供給の有無にかかわらず補助電源の補助用電源に基づき動作する。この防災情報により自動閉鎖装置のブレーキ解除用モータを作動させブレーキを解除して開閉体を閉鎖させる。この閉鎖中、障害物を感知し感知信号が入力されると、ブレーキ解除用モータを停止してブレーキをかけ開閉体の閉鎖を一時停止させる。この後、障害物の除去などで復帰信号が入力されると、ブレーキ解除用モータを作動させブレーキを解除して開閉体を再度閉鎖動作させる。開閉体が開口部を閉鎖することにより所定の防火区画が形成される。
【手続補正７】
【補正対象書類名】明細書
【補正対象項目名】００７３
【補正方法】変更
【補正の内容】
【００７３】
【発明の効果】
本発明の請求項１によれば、防災情報の検出に基づき、保持機構で開放状態が保持されている開閉体が閉鎖されるが、この閉鎖中に障害物を感知したときには、補助電源にて、開閉体を少なくとも停止させる構成であり、これにより、火災で外部電源の供給の有無にかかわらず、開閉体が少なくとも停止し、安全性が向上する。対応して障害物に対する開閉体の負荷を低減化でき、また、障害物の除去などが行えるようになる。
また、本願では、障害物感知後、障害物感知が解かれるなど、予め設定された所定の事象の発生を以て再度開閉体が閉鎖できるため、所定の防火区画を形成できるようになる。
【手続補正８】
【補正対象書類名】明細書
【補正対象項目名】００７４
【補正方法】変更
【補正の内容】
【００７４】
また、本願によれば、防災情報の検出で開閉体が閉鎖されるが、閉鎖中に障害物を感知したときには停止機構が機械的に開閉体を停止保持させるが、この停止機構は所定の事象の発生で再度開閉体を閉鎖させるため、障害物感知させながら、最終的に開閉体を閉鎖させることができるようになる。
さらに、本願によれば、制御手段は、防災情報の検出前後いずれにおいても開閉制御する構成であり、構成を簡単にできる。そして通常時には障害物感知時に反転開放制御など開閉機の電源供給を制御して開閉の制御を実行する一方、防災情報検出で閉鎖する際の障害物感知時には保持機構による開閉体の保持を解除する構成に変更されるため、防災モード時には最小の電力で障害物感知時の停止制御、及び復帰時の再度の閉鎖を実行できるようになる。